(57)【特許請求の範囲】
【請求項１】
２つの空間の間に形成される開口を複数枚の引戸にて閉塞可能な建具であって、
前記複数枚の引戸のうちの見込み方向に隣り合う２枚の引戸の召合せ部において、一方の引戸に上下方向に沿って設けられ他方の引戸に当接されて当該２枚の引戸間を止水する縦止水部材と、
前記一方の引戸の前記縦止水部材の下方に設けられ、前記縦止水部材を伝って下方に移動する水を受けるとともに受けた水を前記一方の引戸の戸先側に案内する案内部材と、を備え、
前記案内部材は、前記一方の引戸における前記縦止水部材より戸尻側から戸先側に繋がって前記戸先側が前記戸尻側より低くなる水受部と、
前記水受部の戸尻側の縁部に前記水受部より高く形成された縁壁部と、
を有し、
前記２枚の引戸により前記開口が閉塞された状態で、前記水受部及び前記縁壁部における前記他方の引戸側の縁部は、前記他方の引戸に当接されていることを特徴とする建具。
【請求項２】
請求項１に記載の建具であって、
前記案内部材の、前記縁壁部の前記他方の引戸側の縁部、及び、前記水受部の前記他方の引戸側の縁部は、当該案内部材の他の部位より軟質の樹脂にて形成されていることを特徴とする建具。
【請求項３】
請求項１または請求項２に記載の建具であって、
前記２枚の引戸間には、当該２枚の引戸の下端側に各々当接されて止水する横止水部材が設けられており、前記案内部材の戸先側の縁部は、前記横止水部材上面に当接されていることを特徴とする建具。
【請求項４】
請求項３に記載の建具であって、
前記案内部材の前記戸先側の縁部は、当該案内部材の他の部位より軟質の樹脂にて形成されていることを特徴とする建具。
【請求項５】
請求項１乃至請求項４のいずれかに記載の建具であって、
前記案内部材は、前記引戸が有する戸車ユニットに設けられており、
前記戸車ユニットは、回動して前記引戸を支持するローラーを備えた戸車本体と、前記戸車本体を収容して前記引戸に固定されるハウジングと、
前記戸車本体の前記ハウジングに対する上下方向の位置を調整可能な調整部材と、を有し、
前記案内部材は、前記戸車本体に設けられていることを特徴とする建具。
【発明の詳細な説明】
【技術分野】
【０００１】
本発明は、２つの空間の間に形成される開口を複数枚の引戸にて閉塞可能な建具に関する。
【背景技術】
【０００２】
２つの空間の間に形成される開口を複数枚の引戸にて閉塞可能な建具としては、例えば、建築物の屋外開口部に取り付けられた窓枠内を引き違いタイプの障子がスライド開閉するサッシが知られている（例えば、特許文献１参照）。このサッシは、障子にて開口が閉塞されたときには、内障子召合せ部に設けられた召合框タイト材が外障子の側面と摺接しており、内障子と外障子との召合せ部分に入り込んだ雨水等が室内側に進入することを防止し、召合框タイト材に至った水は召合框タイト材を伝って下方に移動するように構成されている。召合框タイト材を伝って下方に移動した水は、召合框タイト材の下方に位置する下枠に設けられた排水口から排出されるように構成されている。
【先行技術文献】
【特許文献】
【０００３】
【特許文献１】特開２００２−２２７５５０号公報
【発明の概要】
【発明が解決しようとする課題】
【０００４】
上記のような建具は、内障子と外障子との召合せ部分に入り込んだ雨水等は召合框タイト材を伝って下方に移動し、下枠の排水口から排出されるが、雨水等が排出される排水口は、下枠に設けられているので、召合框タイト材を伝った水が排水口に入らなかったり、排水口の周囲に残った場合には、下枠を伝って室内側に進入するおそれがあるという課題がある。
【０００５】
本発明は、かかる課題に鑑みてなされたものであり、その目的とするところは、隣り合う障子の召合せ部に進入した水をより確実に排出することが可能な建具を提供することにある。
【課題を解決するための手段】
【０００６】
かかる目的を達成するために本発明の建具は、２つの空間の間に形成される開口を複数枚の引戸にて閉塞可能な建具であって、前記複数枚の引戸のうちの見込み方向に隣り合う２枚の引戸の召合せ部において、一方の引戸に上下方向に沿って設けられ他方の引戸に当接されて当該２枚の引戸間を止水する縦止水部材と、前記一方の引戸の前記縦止水部材の下方に設けられ、前記縦止水部材を伝って下方に移動する水を受けるとともに受けた水を前記一方の引戸の戸先側に案内する案内部材と、を備え、前記案内部材は、前記一方の引戸における前記縦止水部材より戸尻側から戸先側に繋がって前記戸先側が前記戸尻側より低くなる水受部と、前記水受部の戸尻側の縁部に前記水受部より高く形成された縁壁部と、を有し、前記２枚の引戸により前記開口が閉塞された状態で、前記水受部及び前記縁壁部における前記他方の引戸側の縁部は、前記他方の引戸に当接されていることを特徴とする建具である。
【０００７】
このような建具によれば、隣り合う２枚の引戸の召合せ部に進入した水は、縦止水部材に止水され、縦止水部材を伝って下方に移動される。そして、縦止水部材を伝って下方に移動された水は、縦止水部材の下方に設けられた案内部材により一方の引戸の戸先側に案内されるので、２枚の引戸の召合せ部に進入した水が召合せ部を超えて、進入してきた空間と異なる空間側に移動することを防止して、進入してきた空間側に戻すことが可能である。
【０００９】
また、縦止水部材を伝って下方に移動された水を受ける案内部材の水受部は、戸尻側から、当該戸尻より低い戸先側に繋がっているので、水受部にて受けた水をより確実に戸先側に移動させることが可能である。また、案内部材は、水受部の戸尻側の縁部に沿って水受部より高い縁壁部が形成されているので、水受部にて受けた水が戸尻側に移動することを防止することが可能である。さらに、２枚の引戸により開口が閉塞された状態では、水受部及び縁壁部における他方の引戸側の縁部は、他方の引戸に当接されているので、案内部材と他方の引戸との間には隙間が生じない。このため、水受部にて受けた水が案内部材と他方の引戸との間から漏れることを防止することが可能である。
【００１０】
かかる建具であって、前記案内部材の、前記縁壁部の前記他方の引戸側の縁部、及び、前記水受部の前記他方の引戸側の縁部は、当該案内部材の他の部位より軟質の樹脂にて形成されていることが望ましい。
【００１１】
このような建具によれば、このような建具によれば、縁壁部の他方の引戸側の縁部、水受部の他方の引戸側の縁部は、いずれも当該案内部材の他の部位より軟質の樹脂にて形成されているので、案内部材を他方の引戸及び横止水部材に沿わせて密着させ、より確実に止水することが可能である。
【００１２】
かかる建具であって、前記２枚の引戸間には、当該２枚の引戸の下端側に各々当接されて止水する横止水部材が設けられており、前記案内部材の戸先側の縁部は、前記横止水部材上面に当接されていることが望ましい。
【００１３】
このような建具によれば、案内部材の戸先側の縁部は、２枚の引戸間にて、当該２枚の引戸の下端側に各々当接されて止水する横止水部材上面に当接されているので、案内部材にて戸先側に案内された水を、横止水部材上面を通して進入してきた空間側へ移動させることが可能である。
【００１４】
かかる建具であって、前記案内部材の戸先側の縁部は、当該案内部材の他の部位より軟質の樹脂にて形成されていることが望ましい。
【００１５】
このような建具によれば、案内部材の戸先側の縁部は、当該案内部材の他の部位より軟質の樹脂にて形成されているので、案内部材を他方の引戸及び横止水部材に沿わせて密着させ、より確実に止水することが可能である。
【００１６】
かかる建具であって、前記案内部材は、前記引戸が有する戸車ユニットに設けられており、前記戸車ユニットは、回動して前記引戸を支持するローラーを備えた戸車本体と、前記戸車本体を収容して前記引戸に固定されるハウジングと、前記戸車本体の前記ハウジングに対する上下方向の位置を調整可能な調整部材と、を有し、前記案内部材は、前記戸車本体に設けられていることが望ましい。
【００１７】
このような建具によれば、案内部材は、戸車ユニットの、引戸を支持するローラーを備えた戸車本体に設けられている。すなわち、案内部材は、引戸を支持するローラーとともに戸車本体をなしているので、ローラーと案内部材との相対位置は不変であり、ローラーにより引戸が支持されている状態では、常に一定の位置に案内部材が位置している。このため、調整部材により戸車本体のハウジングに対する位置が調整されたとしても、案内部材にて縦止水部材を伝って下方に移動された水を受けることができるとともに、案内部材の戸先側の縁部が横止水部材上面に当接している状態を維持させることが可能である。このため、より確実に止水することが可能である。
【発明の効果】
【００１８】
本発明によれば、隣り合う障子の召合せ部に進入した水をより確実に排出することが可能な建具を提供することが可能である。
【図面の簡単な説明】
【００１９】
【図１】本実施形態に係る建具の横断面図である。
【図２】本実施形態に係る建具の縦断面図である。
【図３】下枠上に配置された脱衣室側引戸の戸尻框を示す斜視図である。
【図４】戸車ユニットの構成を示す斜視図である。
【図５】位置調整機構による戸尻框と案内部材との相対位置の変化を示す図である。
【発明を実施するための形態】
【００２０】
以下、本発明の一実施形態に係る建具について図面を参照して説明する。
【００２１】
本実施形態の建具は、２つの空間である浴室と脱衣室とを連通する開口に設けられる浴室用の建具１であり、例えば、図１に示すように、脱衣室側から見て左側の領域が閉止可能な開口でなる出入口２をなし、右側の領域が壁部３をなして、壁部３の脱衣室側を見付け方向に沿って移動する２枚の引戸５、６が、前記出入口２を開閉可能に構成された引き込み戸タイプの建具である。
【００２２】
以下の説明においては、建物等に取り付けられた状態の浴室用の建具１を脱衣室側から見たときに、上下となる方向を上下方向、左右となる方向を左右方向または見付け方向、浴室内外方向である奥行き方向を見込み方向として示す。また、浴室用の建具１が備える各部材は、単体の状態であっても建物等に取り付けられた状態にて上下方向、左右方向、奥行き方向となる方向にて方向を特定して説明する。
【００２３】
浴室用の建具１は、浴室と脱衣室との境界に設けられる枠体１０と、枠体１０における脱衣室側の部分にて見付け方向に移動可能に設けられ、枠体１０における見付け方向の約２／３の領域を占める出入口２を開閉自在に設けられ、見込み方向に互いに隣り合う２枚の引戸５、６と、壁部３側の枠体１０の内周側に設けられる壁面材２１と、枠体１０が有する下枠１４の、引戸５、６が取り付けられる位置より浴室側にて下枠１４と上下に間隔を隔てて配置される架渡部材２２と、を有している。
【００２４】
枠体１０は、図１、図２に示すように、左右の縦枠１１、１２、上下の横枠１３、１４、及び、左右の縦枠１１、１２の間に設けられた縦骨２０と、を有している。左右の縦枠１１、１２、上下の横枠１３、１４、及び、縦骨２０は、いずれも押出成形部材である。
【００２５】
縦骨２０は、見込み方向において左の縦枠１１の幅のほぼ半分の幅を有し、浴室内側に設けられており、右の縦枠１２は２枚の引戸５、６より脱衣室側にて額縁と接合されており、浴室側の部位が、縦骨２０の脱衣室側のほぼ半分の部位と対向している。すなわち、縦骨２０の脱衣室側の部位と右側の縦枠１２の浴室側の部位とは、見込み方向における中央近傍にて、見付け方向に対向するように配置されており、この対向する部位にて端部が支持されて、壁部３の脱衣室側の壁面をなす壁面材２１が設けられている。
【００２６】
左側の縦枠１１は、右側の縦枠１２の脱衣室側と同様に額縁と接合された部位が、右側の縦枠１２と対向するように設けられており、左の縦枠１１の浴室側は、縦骨２０の浴室側の部位と対向するように設けられている。
【００２７】
下枠１４は、躯体(不図示)に支持されるとともに、図２に示すように、脱衣室側の床材４０から浴室側に設けられた防水パン（不図示）に架け渡される下枠本体１５と、上面に前記２枚の引戸５、６を案内する２本の下レール１６ａを有し下枠本体１５上に載置されるレール部材１６とを有している。
【００２８】
本実施形態の建具１は、脱衣室側から見て縦骨２０の左側が出入口２をなし、右側が壁部３をなしているので、下枠本体１５が有する２本の下レール１６ａより浴室側において、出入口２側と壁部３側とで形状が相違している。また、下枠本体１５は押出成形部材なので、まず断面形状が同一の部材が押出成形された後に、出入口２側と壁部３側とに加工を施して形成されている。
【００２９】
レール部材１６は押出成形部材である。レール部材１６は、図３に示すように、下枠本体１５上に取り外し自在に載置されて上面をなす上面部１６ｃに、見付け方向に沿って設けられ見込み方向に間隔を隔てて上方に突出された２本の下レール１６ａが形成されている。２本の下レール１６ａの見込み方向における間には、ほぼ中央に上方に突出され先端側に、横止水部材としての引戸間シール材５０が嵌合される嵌合溝１６ｅが形成された嵌合突部１６ｄが設けられている。この嵌合突部１６ｄの嵌合溝１６ｅには、見込み方向において嵌合突部１６ｄの両側にて移動する引戸５、６の下框５ｄ、６ｄとそれぞれ摺接する引戸間シール材５０が嵌合される。
【００３０】
引戸間シール材５０は、下枠１４の見付け方向に沿う全域に設けられており、嵌合溝１６ｅに嵌合される嵌合部５０ｂが引戸５、６と摺接するヒレ部５０ａより硬質な樹脂にて形成されている。ここで、引戸５と摺接するヒレ部５０ａと、引戸６と摺接するヒレ部５０ａとは、見込み方向に間隔を隔てて設けられており、引戸５と摺接するヒレ部５０ａと引戸６と摺接するヒレ部５０ａとを繋ぐ部位が上面５０ｃを形成している。
【００３１】
２枚の引戸５、６は、アルミニウム製の押出部材でなる戸尻框５ａ、６ａ、戸先框５ｂ、６ｂ、上框５ｃ、６ｃ及び下框５ｄ、６ｄが矩形状に框組みされ、内周側に透光性を有する面材７が設けられている。
【００３２】
２枚の引戸５、６は、戸先框５ｂ、６ｂと戸尻框５ａ、６ａと、戸先框５ｂ、６ｂと戸尻框５ａ、６ａとの間に介在されて戸先框５ｂ、６ｂと戸尻框５ａ、６ａとの上端部同士及び下端部同士をそれぞれ接合する上框５ｃ、６ｃ及び下框５ｄ、６ｄとが、面材７を囲むように框組みされて構成されている。
【００３３】
見込み方向に隣り合う２枚の引戸５、６のうち脱衣室側に設けられた一方の引戸としての脱衣室側引戸５の戸尻框５ａには、戸尻側の端部に上下方向に沿って、軟質樹脂でなる縦止水部材８が設けられている。縦止水部材８は、２枚の引戸５、６にて出入口２を閉塞した状態にて、その先端が他方の引戸としての浴室側引戸６の戸先框６ｂに当接して脱衣室側引戸５の戸尻框５ａと浴室側引戸６の戸先框６ｂとの間、すなわち、召合せ部を止水するように構成されている。また、浴室側引戸６の戸先框６ｂには、戸先側の端部に上下方向に沿って、毛状をなし所謂モヘアと呼ばれる毛状止水部材９が設けられている。毛状止水部材９は、２枚の引戸５、６にて出入口２を閉塞した状態にて、その先端が脱衣室側引戸５の戸尻框５ａに当接して脱衣室側引戸５の戸尻框５ａと浴室側引戸６の戸先框６ｂとの間を止水するように構成されている。ここで、浴室側引戸６の戸先框６ｂに設ける止水部材を、軟質樹脂製の縦止水部材８より止水性が劣る毛状止水部材９としたのは、脱衣室側引戸５を開く際に、浴室側引戸６の戸尻框６ａに設けられた止水部材が脱衣室側引戸５の面材７と摺接して異音が生じることを防止するためである。
【００３４】
また、引戸５、６の戸先框５ｂ、６ｂ及び戸尻框５ａ、６ａの下端には、下レール１６ａに支持されつつ転動するローラー６１（図４参照）を有する戸車ユニット６０がそれぞれ設けられている。
【００３５】
戸車ユニット６０は、図４に示すように、ローラー６１と、ローラー６１を回動自在に保持するホルダー６２とを有する戸車本体としてのローラーユニット６３と、戸先框５ｂ、６ｂと戸尻框５ａ、６ａの下端に嵌合されて保持され、ローラーユニット６３が上下方向に移動可能に収容されるハウジング６８と、を有している。
【００３６】
ハウジング６８は、戸先框５ｂ、６ｂと戸尻框５ａ、６ａの小口を覆うように嵌合され、下方に開放されたローラーユニット収容部６８ａを備え、ローラーユニット収容部６８ａには上部に備えられ、戸先框５ｂ、６ｂと戸尻框５ａ、６ａの外側から回動可能なビス６８ｂによりローラーユニット６３を引戸５に対して上下方向に移動させることが可能な、ローラーユニット６３の調整部材としての位置調整機構６９が設けられている。このため、引戸５、６が下レール１６ａに支持された状態で位置調整機構６９のビス６８ｂを回動させることにより、引戸５、６の下枠１４に対する上下方向の位置を調整することが可能である。
【００３７】
脱衣室側引戸５の戸尻框５ａに設けられる戸車ユニット６０には、ローラーユニット６３のホルダー６２と一体をなし、戸尻框５ａに設けられた縦止水部材８を伝って下方に移動する水を受け脱衣室側引戸５の戸先側に案内する案内部材３０が設けられている。
【００３８】
案内部材３０は、ローラーユニット６３がハウジング６８に収容された際に、ホルダー６２の、ハウジング６８より下側に位置する部位から浴室側に延出された水受部３１と、水受部３１の戸尻側の縁部が水受部３１より高くなるように上方に延出された縁壁部３２と、を有している。
【００３９】
水受部３１は、戸車ユニット６０が戸尻框５ａに取り付けられた状態で、戸尻側にて戸尻框５ａに設けられた縦止水部材８の下方に位置してほぼ水平な面をなす水平面部３１ａと、水平面部３１ａから戸先側に向かって高さが低くなる面を形成する傾斜面部３１ｂと、傾斜面部３１ｂの先端、すなわち、戸先側の縁部にて引戸間シール材５０の上面５０ｃに当接するシール当接部３１ｃとを有している。水平面部３１ａの上面は、ハウジング６８が戸尻框５ａの小口を覆う部位とほぼ同じ高さを有しており、位置調整機構６９により引戸５が最も低くなるように調整されているときには、戸尻框５ａに設けられた縦止水部材８の下端が当接されるように構成されている。
【００４０】
縁壁部３２は、水平面部３１ａの戸尻側の縁から鉛直方向に立設されており、戸車ユニット６０が戸尻框５ａに取り付けられた状態では、縁壁部３２の、左の縦枠１１と対向する面３２ａが、戸尻框５ａの右の縦枠１２と対向する面５ｅに当接するように構成されている。
【００４１】
案内部材３０の水受部３１及び縁壁部３２の浴室側の縁、すなわち、水平面部３１ａ、傾斜面部３１ｂ、シール当接部３１ｃ、及び、縁壁部３２の浴室側の縁は、面一に形成されており、２枚の引戸５、６にて出入口２を閉塞した状態にて、浴室側引戸６の戸先框６ｂの脱衣室に臨む面に当接され、引戸５が見付け方向に移動する際には、戸先框６ｂの脱衣室に臨む面を摺動するように構成されている。このため、水平面部３１ａ、傾斜面部３１ｂ、縁壁部３２の浴室側の縁、及び、引戸間シール材５０の上面に当接するシール当接部３１ｃは、当接された面に沿うように、案内部材３０の他の部位より軟質の樹脂にて形成されている。図４では、案内部材３０の軟質の樹脂にて形成されて部位をグレーに着色して示している。
【００４２】
本実施形態の建具１によれば、見込み方向に隣り合う２枚の引戸５、６の召合せ部をなす脱衣室側引戸５の戸尻框５ａと浴室側引戸６の戸先框６ｂとの間に進入した水は、縦止水部材８に止水され、縦止水部材８を伝って下方に移動される。そして、縦止水部材８を伝って下方に移動された水は、縦止水部材８の下方に設けられた案内部材３０の水受部３１により、水平面部３１ａから傾斜面部３１ｂを通って脱衣室側引戸５の戸先側に案内されるので、２枚の引戸５、６の召合せ部に進入した水が召合せ部を超えて、進入してきた浴室と異なる脱衣室側に移動することを防止する。このため、脱衣室側引戸５の戸尻框５ａと浴室側引戸６の戸先框６ｂとの間に進入した水を、進入してきた浴室側に戻すことが可能である。
【００４３】
また、縦止水部材８を伝って下方に移動された水を受ける案内部材３０の水受部３１は、戸尻側から、当該戸尻より低い戸先側に繋がった傾斜面部３１ｂを有しているので、水受部３１にて受けた水をより確実に戸先側に移動させることが可能である。また、案内部材３０は、水受部３１の戸尻側の縁部には水受部３１より高い縁壁部３２が形成されており、左の縦枠１１と対向する面３２ａが、戸尻框５ａの右の縦枠１２と対向する面５ｅに当接するように構成されているので、水受部３１にて受けた水が戸尻側に移動することを防止することが可能である。
【００４４】
さらに、２枚の引戸５、６により出入口２が閉塞された状態では、面一に形成された水平面部３１ａ、傾斜面部３１ｂ、シール当接部３１ｃ、及び、縁壁部３２の浴室側の縁は、浴室側引戸６の戸先框６ｂの脱衣室に臨む面に当接されているので、案内部材３０と浴室側引戸６との間には隙間が生じ難い。このため、水受部３１にて受けた水が案内部材３０と浴室側引戸６との間から漏れることを防止することが可能である。
【００４５】
また、案内部材３０の戸先側の縁部となるシール当接部３１ｃは、脱衣室側引戸５の戸尻框５ａと浴室側引戸６の戸尻框６ａとの間において、当該２枚の引戸５、６の下端側に各々当接されて止水する引戸間シール材５０の上面５０ｃに当接されているので、案内部材３０にて戸先側に案内された水を、引戸間シール材５０上を通して進入してきた空間側、すなわち浴室側へ移動させることが可能である。
【００４６】
また、水平面部３１ａ、傾斜面部３１ｂ、縁壁部３２の浴室側の縁、及び、引戸間シール材５０の上面に当接するシール当接部３１ｃは、当接された面に沿うように、案内部材３０の他の部位より軟質の樹脂にて形成されているので、案内部材３０を確実に浴室側引戸６に密着させて止水することが可能である。
【００４７】
また、案内部材３０は、戸車ユニット６０の、脱衣室側引戸５を支持するローラー６１を備えたローラーユニット６３のホルダー６２に設けられており、案内部材３０は、脱衣室側引戸５を支持するローラー６１とともにローラーユニット６３をなしているので、ローラー６１と案内部材３０との相対位置は不変である。すなわち、ローラー６１により脱衣室側引戸５が支持されている状態では、常に一定の位置に案内部材３０が位置している。このため、図５に示すように、位置調整機構６９によりローラーユニット６３の、ハウジング６８に対する位置が調整されたとしても、案内部材３０にて縦止水部材８を伝って下方に移動された水を受けることができるとともに、案内部材３０の戸先側の縁部が引戸間シール材５０上に当接している状態を維持させることが可能である。このため、より確実に止水することが可能である。
【００４８】
上記実施形態においては、出入口２を開閉可能な引戸５を２枚備えた浴室用の建具１の例について説明したが、これに限らず、３枚以上の引戸を備えていても構わない。
【００４９】
上記実施形態においては、脱衣室側から見たときに、左側の領域に出入口が設けられ、右側の領域に袖部が設けられている例について説明したが、出入口が右側の領域に設けられ、袖部が左側の領域に設けられていてもよい。
【００５０】
上記実施形態においては、浴室用の建具を例に挙げて説明したが、建具を備える場所は浴室に限らず、例えば、玄関、勝手口や、サービスヤード、サンルーム、テラスの出入口を備える部位であっても構わない。
【００５１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、２  出入口、５  脱衣室側引戸（引戸）、５ａ  戸尻框、
６  浴室側引戸（引戸）、６ｂ  戸先框、８  縦止水部材、３０  案内部材、
３１  水受部、３１ａ  水平面部、３１ｂ  傾斜面部、３１ｃ  シール当接部、
３２  縁壁部、５０  引戸間シール材、６０  戸車ユニット、６１  ローラー、
６３  ローラーユニット、６８  ハウジング、６９  位置調整機構、
【図１】
0005955595.tif 000002
【図２】
0005955595.tif 000003
【図３】
0005955595.tif 000004
【図５】
0005955595.tif 000005
【図４】
0005955595.tif 000006